(57)【要約】      （修正有）【課題】ＱＲコードに書かれている電話番号（着信番号）を暗号化し、名刺・パンフレット等の持ち主のプライバシーを守る暗号化呼接続方法を提供する。【解決手段】方法は、着信番号と発信番号を暗号化しＳ３２、暗号化された着信番号が記載されたＱＲコードを読取りＳ３３、暗号化された発信番号着信番号をＱＲコード暗号化サーバに送信しＳ３４、暗号化された着信番号と発信番号の暗号を解きＳ３５、暗号が解かれた発信番号と暗号が解かれた着信番号をクラウドＰＢＸサーバに送信しＳ３６、端末装置からクラウドＰＢＸの電話番号宛に電話発信しＳ３７、クラウドＰＢＸが受信した発信番号をもとに、クラウドＰＢＸサーバに問い合わせを行い、暗号が解かれた発信番号と着信番号を得てＳ３８、クラウドＰＢＸが前記得られた着信番号に電話発信をするＳ４２。【選択図】図４
2022003737.tif 000002
【特許請求の範囲】
【請求項１】
暗号化呼接続方法は、ＱＲコード暗号化サーバを用いて、着信番号と発信番号を暗号化する工程と、
電話機能部とＱＲコード読取部を有する端末装置のＱＲコード読取部で、暗号化された着信番号が記載されたＱＲコードを読取る工程と、
前記端末装置にクラウドＰＢＸの電話番号を記録する工程と
暗号化された発信番号とＱＲコードから読み取った暗号化された着信番号をＱＲコード暗号化サーバに送信する工程と、
ＱＲコード暗号化サーバを用いて、暗号化された着信番号と発信番号の暗号を解く工程と、
暗号が解かれた発信番号と着信番号のペアをクラウドＰＢＸサーバに送信する工程と、
前記端末装置からクラウドＰＢＸの電話番号宛に前記端末装置の電話機能部を通して電話発信する工程と、
クラウドＰＢＸが受信した発信番号をもとに、クラウドＰＢＸサーバに問い合わせを行い、前記暗号が解かれた発信番号と着信番号のペアから、着信番号を得る工程と、
クラウドＰＢＸが前記着信番号に電話発信をする工程を備える暗号化呼接続方法
【請求項２】
暗号化呼接続方法は、ＱＲコード暗号化サーバを用いて、着信番号と発信番号を暗号化する工程と、
電話機能部とＱＲコード読取部を有する端末装置のＱＲコード読取部で、暗号化された着信番号とクラウドＰＢＸ番号が記載されたＱＲコードを読取る工程と、
暗号化された発信番号とＱＲコードから読み取った暗号化された着信番号とクラウドＰＢＸ番号をＱＲコード暗号化サーバに送信する工程と、
ＱＲコード暗号化サーバを用いて、暗号化された着信番号と発信番号の暗号を解く工程と、
暗号が解かれた発信番号と暗号が解かれた着信番号とクラウドＰＢＸ番号をクラウドＰＢＸサーバに送信する工程と、
前記端末装置からクラウドＰＢＸの電話番号宛に前記端末装置の電話機能部を通して電話発信する工程と、
クラウドＰＢＸが受信したクラウドＰＢＸ番号をもとに、クラウドＰＢＸサーバに問い合わせを行い、前記暗号が解かれた発信番号と着信番号を得る工程と、
クラウドＰＢＸが前記得られた着信番号に電話発信をする工程を備える暗号化呼接続方法。
【請求項３】
暗号化呼接続方法は、ＱＲコード暗号化サーバを用いて、着信番号と発信番号を暗号化する工程と、
電話機能部とＱＲコード読取部を有する端末装置のＱＲコード読取部で、暗号化された着信番号が記載されたＱＲコードを読取る工程と、
暗号化された発信番号とＱＲコードから読み取った暗号化された着信番号をＱＲコード暗号化サーバに送信する工程と、
ＱＲコード暗号化サーバを用いて、暗号化された着信番号と発信番号の暗号を解く工程と、
暗号が解かれた発信番号と着信番号のペアをクラウドＰＢＸサーバに送信する工程と、
クラウドＰＢＸサーバがクラウドＰＢＸの電話番号をＱＲコード暗号化サーバに送信する工程と、
ＱＲコード暗号化サーバが前記クラウドＰＢＸ番号を前記端末装置のＱＲコード読取部に送信する工程と、
前記端末装置からクラウドＰＢＸの電話番号宛に前記端末装置の電話機能部を通して電話発信する工程と、
クラウドＰＢＸが受信したクラウドＰＢＸ番号をもとに、クラウドＰＢＸサーバに問い合わせを行い、前記暗号が解かれた発信番号と着信番号を得る工程と、
クラウドＰＢＸが前記着信番号に電話発信をする工程を備える暗号化呼接続方法。
【請求項４】
請求項１〜３に記載の前記暗号化呼接続方法を実施するためのシステムであって、
電話機能部とＱＲコード読取部を有する端末装置と
着信番号や発信番号を暗号化するＱＲコード暗号化サーバと、
クラウドＰＢＸサーバと
クラウドＰＢＸを備え、
クラウドＰＢＸサーバは、前記ＱＲコード暗号化サーバと前記クラウドＰＢＸと通信を行い、
クラウドＰＢＸは、前記クラウドＰＢＸサーバと前記端末装置の電話機能部から得た情報からをもとに着信番号と発信番号を得て、前記着信番号に電話発信することを特徴とする暗号化呼接続システム
【発明の詳細な説明】
【技術分野】
【０００１】
本発明は名刺、パンフレット等に印刷されるＱＲコードをスマートフォンやタブレットなどの、ＱＲコードリーダと電話機能部を有する端末装置で読み取り、ＱＲコードに書かれている情報をもとにスマートフォンやタブレットなどの電話機能部を有する電子機器の電話機能部を経由して名刺またはパンフレット等の持ち主に接続する呼接続方式に関するものである。
【背景技術】
【０００２】
近年、名刺やパンフレット等に印刷されるＱＲコードをスマートフォンのＱＲコードリーダで読み取り、ＱＲコードに書かれている着信番号をもとにスマートフォンの電話機能部、及び携帯網、固定通信網を経由して名刺またはパンフレット等の持ち主に接続する技術が知られている。
【０００３】
図１や特許文献１は、従来技術を説明するものである。名刺やパンフレット等に貼付されているＱＲコードには、着信番号が記録されている。
【０００４】
このＱＲコードをスマートフォンなどのＱＲコードリーダーアプリで読み取ると
スマートフォンの電話機能部により、公知の携帯網・固定通信網を通じて、名刺や
パンフレットの持ち主に電話を掛けることができる
【０００５】
【先行技術文献】
【特許文献】
【０００６】
【特許文献１】特開２００６−２９５８９８号
【発明の概要】
【発明が解決しようとする課題】
【０００７】
この従来方式では、ＱＲコードに書かれている電話番号（着信番号）がＱＲコードリーダの出力として容易に読むことはできてしまう。したがって、名刺またはパンフレット等の持ち主の電話番号が容易に分かってしまうという欠点があった。これはプライバシーの保護の重要性が叫ばれる昨今においては妥当でなく改善の必要がある。
【０００８】
本発明は、上記の問題に鑑み、ＱＲコードに記録されている電話番号（着信番号）を暗号化し、ＱＲコードリーダ等の読取部の出力として電話番号（着信番号）が分からないようにし、名刺またはパンフレット等の持ち主のプライバシーを守ることができる方法、システムを提供することを目的とする。
【課題を解決するための手段】
【０００９】
本発明の暗号化呼接続方法は、ＱＲコード暗号化サーバを用いて、着信番号と発信番号を暗号化する工程と、電話機能部とＱＲコード読取部を有する端末装置のＱＲコード読取部で、暗号化された着信番号が記載されたＱＲコードを読取る工程と、
前記端末装置にクラウドＰＢＸの電話番号を記録する工程と、暗号化された発信番号とＱＲコードから読み取った暗号化された着信番号をＱＲコード暗号化サーバに送信する工程と、
ＱＲコード暗号化サーバを用いて、暗号化された着信番号と発信番号の暗号を解く工程と、
暗号が解かれた発信番号と着信番号のペアをクラウドＰＢＸサーバに送信する工程と、
前記端末装置からクラウドＰＢＸの電話番号宛に前記端末装置の電話機能部を通して電話発信する工程と、
クラウドＰＢＸが受信した発信番号をもとに、クラウドＰＢＸサーバに問い合わせを行い、前記暗号が解かれた発信番号と着信番号のペアから、着信番号を得る工程と、
クラウドＰＢＸが前記着信番号に電話発信をする工程を備える。
【００１０】
本発明の暗号化呼接続方法は、ＱＲコード暗号化サーバを用いて、着信番号と発信番号を暗号化する工程と、電話機能部とＱＲコード読取部を有する端末装置のＱＲコード読取部で、暗号化された着信番号とクラウドＰＢＸ番号が記載されたＱＲコードを読取る工程と、暗号化された発信番号とＱＲコードから読み取った暗号化された着信番号とクラウドＰＢＸ番号をＱＲコード暗号化サーバに送信する工程と、
ＱＲコード暗号化サーバを用いて、暗号化された着信番号と発信番号の暗号を解く工程と、
暗号が解かれた発信番号と暗号が解かれた着信番号とクラウドＰＢＸ番号をクラウドＰＢＸサーバに送信する工程と、
前記端末装置からクラウドＰＢＸの電話番号宛に前記端末装置の電話機能部を通して電話発信する工程と、
クラウドＰＢＸが受信したクラウドＰＢＸ番号をもとに、クラウドＰＢＸサーバに問い合わせを行い、前記暗号が解かれた発信番号と着信番号を得る工程と、
クラウドＰＢＸが前記得られた着信番号に電話発信をする工程を備える。
【００１１】
また、本発明の暗号化呼接続方法は、ＱＲコード暗号化サーバを用いて、着信番号と発信番号を暗号化する工程と、
電話機能部とＱＲコード読取部を有する端末装置のＱＲコード読取部で、暗号化された着信番号が記載されたＱＲコードを読取る工程と、
暗号化された発信番号とＱＲコードから読み取った暗号化された着信番号をＱＲコード暗号化サーバに送信する工程と、
ＱＲコード暗号化サーバを用いて、暗号化された着信番号と発信番号の暗号を解く工程と、
暗号が解かれた発信番号と着信番号のペアをクラウドＰＢＸサーバに送信する工程と、
クラウドＰＢＸサーバがクラウドＰＢＸの電話番号をＱＲコード暗号化サーバに送信する工程と、
ＱＲコード暗号化サーバが前記クラウドＰＢＸ番号を前記端末装置のＱＲコード読取部に送信する工程と、
前記端末装置からクラウドＰＢＸの電話番号宛に前記端末装置の電話機能部を通して電話発信する工程と、
クラウドＰＢＸが受信したクラウドＰＢＸ番号をもとに、クラウドＰＢＸサーバに問い合わせを行い、前記暗号が解かれた発信番号と着信番号を得る工程と、
クラウドＰＢＸが前記着信番号に電話発信をする工程を備える。
【００１２】
また、本発明の暗号化呼システムは、前記暗号化呼接続方法を実施するためのシステムであって、
電話機能部とＱＲコード読取部を有する端末装置と
着信番号や発信番号を暗号化するＱＲコード暗号化サーバと、
クラウドPBXサーバと
クラウドPBXを備え、
クラウドＰＢＸサーバは、前記ＱＲコード暗号化サーバと前記クラウドＰＢＸと通信を行い、
クラウドＰＢＸは、前記クラウドＰＢＸサーバと前記端末装置の電話機能部から得た情報をもとに着信番号と発信番号を得て、前記着信番号に電話発信する。
【発明の効果】
【００１３】
本発明の暗号化呼接続方法によれば、ＱＲコードに記録されている電話番号（着信番号）を暗号化し、ＱＲコードリーダ等の読取部の出力として電話番号（着信番号）が分からないようにし、名刺またはパンフレット等の持ち主のプライバシーを守ることができる。
【００１４】
また、本発明の暗号化呼接続システムによれば、本発明の暗号化呼接続方法を実施することができる。その結果、ＱＲコードに記録されている電話番号（着信番号）を暗号化し、ＱＲコードリーダ等の読取部の出力として電話番号（着信番号）が分からないようにし、名刺またはパンフレット等の持ち主のプライバシーを守ることができる。
【図面の簡単な説明】
【００１５】
【図１】従来方式を説明する仕組みを示すブロック図である。
【図２】本発明の方法を実行するシステムを説明するブロック図である。
【図３】本発明の第一実施形態を説明するためのフローチャートである。
【図４】本発明の第二実施形態を説明するためのフローチャートである。
【図５】本発明の第三実施形態を説明するためのフローチャートである。
【発明を実施するための形態】
【００１６】
本発明の目的を達成するための一実施形態を用いた仕組みを、図面を参照しながら詳細に説明する。
【００１７】
図２は、本発明の方法を実行するシステムを説明するブロック図である。
【００１８】
本実施形態の暗号化呼システム１は、本発明は名刺、パンフレット等に印刷されるＱＲコードをスマートフォンやタブレット等の端末装置で読み取り、ＱＲコードに書かれている暗号化された電話番号をもとに端末装置の電話機能部を経由して名刺またはパンフレット等の持ち主に電話発信する暗号化呼接続システムに関するものである。
【００１９】
本実施形態の暗号化呼接続システム１は、図２に示すように、端末装置１０と、ＱＲコード暗号化サーバ２０と、クラウドＰＢＸサーバ３０、クラウドＰＢＸ４０とを備えている。読取端末装置１０とＱＲコード暗号化サーバ２０との間およびＱＲコード暗号化サーバ２０とクラウドＰＢＸサーバ３０との間は、インターネット回線、電話回線およびＬＡＮ（Local Area Network）などの通信回線を用いて互いに通信可能に構成されている。
【００２０】
端末装置１０とクラウドＰＢＸ４０との間およびクラウドＰＢＸ４０とクラウドＰＢＸサーバ３０との間は電話回線を用いて互いに通信可能に構成されている。
【００２１】
端末装置１０は、ＱＲコードを読取って電話を掛ける者が使用する端末装置である。ＱＲコードを読取って電話を掛ける者は、端末装置１０を用いてＱＲコードに暗号化された電話番号(着信番号)に電話発信をする。
【００２２】
端末装置１０は、表示部、入力部、カメラ、ＱＲコード読取部と電話機能部およびＷｅｂブラウザを備えており、スマートフォンなどの携帯電話やタブレット端末などといった携帯端末であってもよい。また、デスクトップパソコンやノートパソコンでもよい。
【００２３】
なお、端末装置１０にＱＲコード読取部（例えば、ＱＲコードリーダーアプリ）をインストールする際、端末装置１０は、ＱＲコード暗号化サーバ２０に接続される。
【００２４】
ここでＱＲコード暗号化サーバ２０では、端末装置１０の電話番号（発信番号）を暗号化キーで暗号化してインストールと同時にスマートフォンに登録する。なお、ＱＲコード暗号化サーバ２０には接続せずに、特殊なＱＲコードリーダアプリを用いて、スマートフォンユーザがアプリインストール時に発信番号を暗号化キーで暗号化してQRコードリーダアプリに登録されることもできる。また、この時、スマートフォン等の端末装置１０には、クラウドＰＢＸ４０の電話番号を記録することもできる。
【００２５】
また、図２には、１台の端末装置１０しか示していないが、実際には、本実施形態の暗号化呼接続システム１は、複数の端末装置１０を有し、上述した構成を有し、同様の処理を行うものとする。
【００２６】
ＱＲコード暗号化サーバ２０は、発信番号と着信番号を暗号化キーで暗号化するものである。
【００２７】
暗号化は、具体的には原文を暗号化キーでEXORを取って暗号文を得るといった手段で行う。なお、暗号化は、ＱＲコード作成ソフトでパスワード入力して、暗号化されたＱＲコードを作成する方法でもよい。
【００２８】
また、ＱＲコード暗号化サーバ２０は、暗号化キーを保管する
【００２９】
電話番号（着信番号）を暗号化したい者は、ＱＲコード暗号化サーバ２０で暗号化したものをＱＲコードとして印刷し、ＱＲコードを名刺やパンフレットに貼付する。
【００３０】
クラウドＰＢＸサーバ３０は、暗号化されたＱＲコード暗号化サーバ２０から暗号化を解除した電話番号(発信番号と着信番号)を受け取るサーバである。
【００３１】
クラウドＰＢＸ４０は、端末装置１０の電話機能部を通して、発信番号、着信番号やクラウドＰＢＸ番号を受信する。なお、クラウドＰＢＸとは、従来、オフィス内に設置してあったＰＢＸ（電話交換機）を、インターネット上に用意した機能のことをいう。
【００３２】
クラウドＰＢＸ４０は、クラウドＰＢＸサーバ３０へ端末装置１０から受け取った発信番号やクラウドＰＢＸ番号を送信する。
【００３３】
また、クラウドＰＢＸ４０は、クラウドＰＢＸサーバ３０から発信された暗号が解かれた発信番号と着信番号を受信し、受け取った着信番号に電話発信する。
【００３４】
つまり、端末装置１０の持主は、ＱＲコードで暗号化された者の発信番号に電話発信することができる。
【００３５】
本発明の実施形態を達成するための仕組みを図２に示す。
【００３６】
図２で説明した端末装置１０、ＱＲコード暗号化サーバ２０、クラウドＰＢＸサーバ３０、クラウドＰＢＸ４０の他に暗号化された着信番号が書かれたＱＲコードが添付された名刺・パンフレット等が存在する。
【００３７】
端末装置１０の電話機能部は、携帯網と固定通信網を介してクラウドＰＢＸ４０に電話発信できる。
【００３８】
また、端末装置１０の電話機能部は、携帯網と別の固定通信網を介して名刺・パンフレット等の持主に電話発信できる。
【００３９】
端末装置１０のＷｅｂブラウザは、インターネットを介してＷｅｂサーバに接続されている。
【００４０】
次に、本実施形態の暗号化呼接続システムを用いた暗号化呼接続方法の流れについて、図３に示すフローチャートを参照しながら説明する。なお、図３のフローチャートは、基本的に上から下に向かって時間が進むものとする。ただし、着信番号の暗号化と発信番号の暗号化は、どちらが先にされてもよい。
【００４１】
ここで、名刺・パンフレット等の持主の電話番号を「着信番号」といい、暗号化された「着信番号」(名刺・パンフレット等のＱＲコードで暗号化されている電話番号)を暗号化「着信番号］と記述する。
【００４２】
一方、スマートフォン等の端末装置１０の電話番号を「発信番号」といい、
暗号化された発信番号（ＱＲコード読取部のインストール時に暗号化された端末装置１０の電話番号）を暗号化［発信番号］と記述する。
【００４３】
まず、着信番号の暗号化(コード化)は、ＱＲコード暗号化サーバ２０で行われ、具体的には原文を暗号化キーでEXORを取って暗号文を得るといった手段で行なわれる（Ｓ１０）
【００４４】
なお、暗号化は、ＱＲコード作成ソフトでパスワードを入力して、行ってもよい。
【００４５】
名刺・パンフレット等の持主は、ＱＲコード暗号化サーバ２０で暗号化したものをＱＲコードとして印刷し、印刷したＱＲコードを名刺やパンフレットに貼付する（Ｓ１１）。
【００４６】
また、端末装置１０には、当該端末装置１０の電話番号を暗号化した暗号化［発信番号］とクラウドＰＢＸ３０の電話番号が記録されている。
【００４７】
この「発信番号」の暗号化は、ＱＲコードを端末装置１０にインストールする際にＱＲコード暗号化サーバ２０で行われ、具体的には原文を暗号化キーでEXORを取って暗号文を得るといった手段で行う（Ｓ１２）。
【００４８】
なお、暗号化は、ＱＲコード作成ソフトでパスワード入力して、行ってもよい。
【００４９】
スマートフォン等の端末装置１０の持主が、スマートフォン等のＱＲコード読取部(例えば、ＱＲコードリーダアプリ)で名刺・パンフレット等に貼付されたＱＲコードを読込むと、ＱＲコード読取部に暗号化された暗号化［着信番号］が読込まれる（Ｓ１３）。
【００５０】
ここで「着信番号」は、暗号化されているのでスマートフォン等の端末装置１０の持主にはわからない。
【００５１】
ＱＲコード読取部は、インターネットをとおして暗号化された暗号化［着信番号］と暗号化［発信番号］をＱＲコード暗号化サーバ２０に送信する（Ｓ１４）。
【００５２】
ＱＲコード暗号化サーバ２０は、当該サーバに記録されている暗号化キーをもとに暗号化された[着信番号]と[発信番号]の暗号を解く（Ｓ１５）。
【００５３】
ＱＲコード暗号化サーバ２０は、暗号が解かれた「着信番号」と「発信番号」を得て、それをクラウドＰＢＸサーバ３０に送る（Ｓ１６）。
【００５４】
また、端末装置１０は、暗号化された暗号化［着信番号］と暗号化［発信番号］をＱＲコード暗号化サーバ２０に送ったあと、スマートフォン等の端末装置１０の電話機能部(他の電話と通話できる機能を有する部分のことをいう。この電話機能部の構成は、一般的な公知のものである)を通して、クラウドＰＢＸ４０宛に発信する（Ｓ１７）。
【００５５】
なお、ここで「発信番号」はスマートフォン等の端末装置の電話番号であり「着信番号」は、クラウドＰＢＸ４０の電話番号である。
【００５６】
クラウドＰＢＸ４０の電話番号と端末装置１０の電話番号は、端末装置１０の電話機能部、携帯網、固定通信網を経由してクラウドＰＢＸ４０に届けられる。
【００５７】
クラウドＰＢＸ４０は、発信番号をキーにクラウドＰＢＸサーバ３０に問い合わせをおこなう（Ｓ１８）。
【００５８】
クラウドＰＢＸサーバ３０は、インターネット等を通じてＱＲコード暗号化サーバ２０から送られてきた「着信番号」と「発信番号」のペアから、クラウドＰＢＸから固定通信網を経由してクラウドＰＢＸサーバ４０に届けられた発信番号が共通するペアを抽出する（Ｓ１９）。
【００５９】
クラウドＰＢＸサーバ３０は、前記抽出した「発信番号」と「着信番号」をクラウドＰＢＸ４０に返答する（Ｓ２０）。
【００６０】
返答を受けたクラウドＰＢＸ４０は、スマートフォン等の端末装置１０の電話機能部を通して発信された「発信番号」と「着信番号」（クラウドＰＢＸ４０の電話番号）を、クラウドＰＢＸサーバ３０から返答された「発信番号」と「着信番号」（名刺・パンフレット等の持主の電話番号）に変更して（Ｓ２１）名刺・パンフレット等の持ち主に接続する（Ｓ２２）。
【００６１】
第４図は本発明の第２の実施形態を示すフォローチャートである。第２の実施形態は、ＱＲコードの暗号化された着信番号と一緒にクラウドPBXの電話番号が記載されている場合である。
【００６２】
本発明の第２の実施形態を達成するためのシステムは、第１の実施形態の場合（図２）と同様である。
【００６３】
第１の実施形態と同様に、名刺・パンフレット等の持主の電話番号を「着信番号」といい、暗号化された「着信番号」(名刺・パンフレット等のＱＲコードで暗号化されている電話番号)を暗号化「着信番号］と記述する。
【００６４】
同様に、ＱＲコードを読取り、スマートフォン等の端末装置１０の電話番号を「発信番号」といい、暗号化された発信番号（ＱＲコード読取部のインストール時に暗号化された端末装置１０の電話番号）を暗号化［発信番号］と記述する。
【００６５】
まず、着信番号の暗号化(コード化)は、ＱＲコード暗号化サーバ２０で行われる。暗号化の方法は第１の実施形態と同様である（Ｓ３０）。
【００６６】
第２の実施形態では、名刺・パンフレット等の持主は、ＱＲコード暗号化サーバ２０で暗号化した暗号化[着信番号]とクラウドＰＢＸの電話番号をＱＲコードとして印刷し、印刷したＱＲコードを名刺やパンフレットに貼付する（Ｓ３１）。
【００６７】
また、端末装置１０には、当該端末装置１０の電話番号を暗号化した暗号化［発信番号］が記録されている。暗号化の方法は、第１の実施形態と同様である（Ｓ３２）。
【００６８】
スマートフォン等の端末装置１０の持主が、スマートフォン等のＱＲコード読取部(例えば、ＱＲコードリーダアプリ)で名刺・パンフレット等に貼付されたＱＲコードを読込むと、ＱＲコード読取部に暗号化された暗号化［着信番号］とクラウドＰＢＸ番号が読込まれる（Ｓ３３）。
【００６９】
ここで「着信番号」は、暗号化されているのでスマートフォン等の端末装置１０の持主にはわからない。
【００７０】
ＱＲコード読取部は、インターネットをとおして暗号化された暗号化［着信番号］、暗号化［発信番号］とクラウドＰＢＸ番号をＱＲコード暗号化サーバ２０に送信する（Ｓ３４）。
【００７１】
ＱＲコード暗号化サーバ２０は、当該サーバに記録されている暗号化キーをもとに暗号化された[着信番号]と[発信番号]の暗号を解く（Ｓ３５）。
【００７２】
ＱＲコード暗号化サーバ２０は、暗号が解かれた「着信番号」と「発信番号」を得て、クラウドＰＢＸ番号と共にそれをクラウドＰＢＸサーバ３０に送る（Ｓ３６）。
【００７３】
また、端末装置１０は、暗号化された暗号化［着信番号］と暗号化［発信番号］をＱＲコード暗号化サーバ２０に送ったあと、スマートフォン等の端末装置１０の電話機能部(他の電話と通話できる機能を有する部分のことをいう。この電話機能部の構成は、一般的な公知のものである)を通して、クラウドＰＢＸ４０宛に発信する（Ｓ３７）。
【００７４】
なお、ここで「発信番号」はスマートフォン等の端末装置の電話番号であり「着信番号」は、クラウドＰＢＸ４０の電話番号である。
【００７５】
クラウドＰＢＸ４０の電話番号と端末装置１０の電話番号は、端末装置１０の電話機能部、携帯網、固定通信網を経由してクラウドＰＢＸ４０に届けられる。
【００７６】
クラウドＰＢＸ４０は、届けられたクラウドＰＢＸ番号をキーにクラウドＰＢＸサーバ３０に問い合わせをおこなう（Ｓ３８）。
【００７７】
クラウドＰＢＸサーバ３０は、インターネット等を通じてＱＲコード暗号化サーバ２０から送られてきた「着信番号」「発信番号」とクラウドＰＢＸ番号のセットの中から、クラウドＰＢＸから固定通信網を経由してクラウドＰＢＸサーバ４０に届けられたクラウドＰＢＸ番号が共通するペアを抽出する（Ｓ３９）。
【００７８】
クラウドＰＢＸサーバ３０は、前記抽出した「発信番号」と「着信番号」をクラウドＰＢＸ４０に返答する（Ｓ４０）。
【００７９】
返答を受けたクラウドＰＢＸ４０は、スマートフォン等の端末装置１０の電話機能部を通して発信された「発信番号」と「着信番号」（クラウドＰＢＸ４０の電話番号）を、クラウドＰＢＸサーバ３０から返答された「発信番号」と「着信番号」（名刺・パンフレット等の持主の電話番号）に変更して（Ｓ４１）名刺・パンフレット等の持ち主に接続する（Ｓ４２）。
【００８０】
第５図は本発明の第３の実施形態を示すフローチャート仕組むである。第３実施形態は、端末装置１０のＱＲコード読取部が、暗号化された暗号化[発信番号]と暗号化された暗号化[着信番号]をＱＲコード暗号化サーバ２０に送った際、そのレスポンスとしてクラウドＰＢＸ３０の電話番号（クラウドＰＢＸ番号）を受信する場合である。
【００８１】
本発明の第３の実施形態を達成するためのシステムは、第１の実施形態の場合（図２）と同様である。
【００８２】
第１、第２の実施形態と同様に、名刺・パンフレット等の持主の電話番号を「着信番号」といい、暗号化された「着信番号」(名刺・パンフレット等のＱＲコードで暗号化されている電話番号)を暗号化［着信番号］と記述する。
【００８３】
同様に、ＱＲコードを読取り、スマートフォン等の端末装置１０の電話番号を「発信番号」といい、暗号化された発信番号（ＱＲコード読取部のインストール時に暗号化された端末装置１０の電話番号）を暗号化［発信番号］と記述する。
【００８４】
まず「着信番号」の暗号化(コード化)は、ＱＲコード暗号化サーバ２０で行われる。暗号化の方法は第１の実施形態と同様である（Ｓ５０）。
【００８５】
第３の実施形態では、第１の実施形態と同様、名刺・パンフレット等の持主は、ＱＲコード暗号化サーバ２０で暗号化したものをＱＲコードとして印刷し、印刷したＱＲコードを名刺やパンフレットに貼付する（Ｓ５１）。
【００８６】
また、端末装置１０には、当該端末装置１０の電話番号を暗号化した暗号化［発信番号］が記録されている。暗号化の方法は、第１の実施形態と同様である（Ｓ５２）。
【００８７】
スマートフォン等の端末装置１０の持主が、スマートフォン等のＱＲコード読取部(例えば、ＱＲコードリーダアプリ)で名刺・パンフレット等に貼付されたＱＲコードを読込むと、ＱＲコード読取部に暗号化された暗号化［着信番号］が読込まれる（Ｓ５３）。
【００８８】
ここで「着信番号」は、暗号化されているのでスマートフォン等の端末装置１０の持主にはわからない。
【００８９】
ＱＲコード読取部は、インターネットをとおして暗号化された暗号化［着信番号］、暗号化［発信番号］をＱＲコード暗号化サーバ２０に送信する（Ｓ５４）。
【００９０】
ＱＲコード暗号化サーバ２０は、当該サーバに記録されている暗号化キーをもとに暗号化された[着信番号]と[発信番号]の暗号を解く（Ｓ５５）。
【００９１】
ＱＲコード暗号化サーバ２０は、暗号が解かれた「着信番号」と「発信番号」を得て、それをクラウドＰＢＸサーバ３０に送信する（Ｓ５６）。
【００９２】
「着信番号」と「発信番号」を受け取ったクラウドＰＢＸサーバ３０は、利用できるクラウドＰＢＸの電話番号（クラウドＰＢＸ番号）をＱＲコード暗号化サーバ２０に送信する（Ｓ５７）。
【００９３】
「クラウドＰＢＸ番号」を受け取ったＱＲコード暗号化サーバ２０は、当該「クラウドＰＢＸ番号」をレスポンスとして端末装置１０のＱＲコード読取部に送信する（Ｓ５８）。
【００９４】
また、端末装置１０は、ＱＲコード暗号化サーバ２０から「クラウドＰＢＸ番号」を受け取ったあと、スマートフォン等の端末装置１０の電話機能部(他の電話と通話できる機能を有する部分のことをいう。この電話機能部の構成は、一般的な公知のものである)を通して、クラウドＰＢＸ４０宛に発信する（Ｓ５９）。
【００９５】
なお、ここで「発信番号」はスマートフォン等の端末装置の電話番号であり「着信番号」は、クラウドＰＢＸ４０の電話番号である。
【００９６】
クラウドＰＢＸ４０の電話番号と端末装置１０の電話番号は、端末装置１０の電話機能部、携帯網、固定通信網を経由してクラウドＰＢＸ４０に届けられる。
【００９７】
クラウドＰＢＸ４０は、届けられたクラウドＰＢＸ番号をキーにクラウドＰＢＸサーバ３０に問い合わせをおこなう（Ｓ６０）。
【００９８】
クラウドＰＢＸサーバ３０は、インターネット等を通じてＱＲコード暗号化サーバ２０から送られてきた「着信番号」「発信番号」とクラウドＰＢＸ番号のセットの中から、クラウドＰＢＸから固定通信網を経由してクラウドＰＢＸサーバ４０に届けられたクラウドＰＢＸ番号が共通するペアを抽出する（Ｓ６１）。
【００９９】
クラウドＰＢＸサーバ３０は、前記抽出した「発信番号」と「着信番号」をクラウドＰＢＸ４０に返答する（Ｓ６２）。
【０１００】
返答を受けたクラウドＰＢＸ４０は、スマートフォン等の端末装置１０の電話機能部を通して発信された「発信番号」と「着信番号」（クラウドＰＢＸ４０の電話番号）を、クラウドＰＢＸサーバ３０から返答された「発信番号」と「着信番号」（名刺・パンフレット等の持主の電話番号）に変更して（Ｓ６３）名刺・パンフレット等の持ち主に接続する（Ｓ６４）。
【０１０１】
＜＜＜＜本実施の形態の範囲＞＞＞＞
上述したように、本発明は、本実施の形態によって記載したが、この開示の一部をなす記載及び図面は、本発明を限定するものであると理解すべきでない。このように、本発明は、ここでは記載していない様々な実施の形態等を含む。
【符号の説明】
【０１０２】
１    暗号化呼接続システム
１０  端末装置
２０  ＱＲコード暗号化サーバ
３０  クラウドＰＢＸサーバ
４０  クラウドＰＢＸ
【図１】
2022003737.tif 000003
【図２】
2022003737.tif 000004
【図３】
2022003737.tif 000005
【図４】
2022003737.tif 000006
【図５】
2022003737.tif 000007